(57)【要約】【課題】媒体ロールを用いる印刷装置において、媒体のスキューや浮き等を解消し、媒体搬送時の不具合を適切に改善する。【解決手段】巻芯５４に媒体５０がロール状に巻かれたロール状媒体５２を用いる印刷装置１０であって、ロール状媒体５２の巻芯５４を保持する部材であり、巻芯５４の軸方向の一端側に生じる媒体５０の張力と、他端側に生じる媒体５０の張力とに差が生じた場合に、当該差に応じて巻芯５４の軸方向を傾ける巻芯保持部１０２を備える。【選択図】図１
2010247916.tif 000002
【特許請求の範囲】
【請求項１】
巻芯に媒体がロール状に巻かれたロール状媒体を用いる印刷装置であって、
前記ロール状媒体の前記巻芯を保持する部材であり、前記巻芯の軸方向の一端側に生じる前記媒体の張力と、他端側に生じる前記媒体の張力とに差が生じた場合に、当該差に応じて前記巻芯の軸方向を傾ける媒体保持部を備えることを特徴とする印刷装置。
【請求項２】
前記媒体は、予め設定された搬送方向へ搬送され、
前記媒体保持部は、
前記巻芯を保持する巻芯保持部と、
前記搬送方向及び前記巻芯の軸方向と垂直な軸を中心とする円弧上を前記巻芯が移動可能となるよう前記巻芯保持部を支持する巻芯移動中心軸部と、
前記巻芯の軸方向が前記搬送方向と直交する向きへ前記巻芯保持部を付勢する付勢部材と
を有することを特徴とする請求項１に記載の印刷装置。
【請求項３】
前記媒体保持部は、前記付勢部材が前記巻芯保持部を付勢する付勢力を調整する付勢力調整部を更に有することを特徴とする請求項２に記載の印刷装置。
【請求項４】
前記媒体保持部は、前記巻芯移動中心軸部の軸及び前記搬送方向と垂直な軸により、搬送される前記媒体の上下方向へ移動可能に前記巻芯保持部を支持する上下方向移動中心軸部を更に有することを特徴とする請求項２又は３に記載の印刷装置。
【請求項５】
巻芯に媒体がロール状に巻かれたロール状媒体を用いる印刷装置において前記ロール状媒体の前記巻芯を保持する媒体保持部材であって、
前記巻芯の軸方向の一端側に生じる前記媒体の張力と、他端側に生じる前記媒体の張力とに差が生じた場合に、当該差に応じて前記巻芯の軸方向を傾けることを特徴とする媒体保持部材。
【発明の詳細な説明】
【技術分野】
【０００１】
本発明は、印刷装置及び媒体保持部材に関する。
【背景技術】
【０００２】
従来、媒体がロール状に巻かれたロール状媒体（媒体ロール）を用いる印刷装置が知られている（例えば、特許文献１参照。）。このような印刷装置においては、例えば、搬送方向の上流側に取り付けられたロール状媒体から順次媒体を繰り出し、印刷を行う。
【先行技術文献】
【特許文献】
【０００３】
【特許文献１】特開２００７−３０１９２０号公報
【発明の概要】
【発明が解決しようとする課題】
【０００４】
ロール状媒体を用いて印刷を行う場合、媒体の搬送に伴い、様々な不具合が生じる場合がある。例えば、媒体の搬送に伴い、媒体の蛇行や寄り等のスキューが発生する場合がある。また、スキューにより、媒体にストレスがかかり、媒体の浮きや正確な搬送ができない、印刷表面の左右の画質のバランスの劣化等の問題が生じる場合がある。そのため、従来、媒体のスキューや浮き等を適切に解消し、媒体搬送時の不具合を改善することが望まれていた。そこで、本発明は、上記の課題を解決できる印刷装置及び媒体保持部材を提供することを目的とする。
【課題を解決するための手段】
【０００５】
ロール状媒体を用いる印刷装置において、ロール状媒体は、例えば、巻芯の軸方向と媒体の搬送方向とが直交する位置に保持される。そのため、例えば巻芯の位置が常に固定されていると、媒体の左右において搬送量のバランスが乱れた場合等に、媒体の左右の間で張力の不均衡が生じ、スキューや浮き等が発生しやすくなる。
【０００６】
これに対し、本願の発明者は、鋭意研究により、媒体ロールの軸心である巻芯が可動な構成とすることにより、媒体のスキューや浮き等を適切に解消し、媒体搬送時の不具合を適切に改善できることを見出した。上記の課題を解決するために、本発明は、以下の構成を有する。
【０００７】
（構成１）巻芯に媒体がロール状に巻かれたロール状媒体を用いる印刷装置であって、ロール状媒体の巻芯を保持する部材であり、巻芯の軸方向の一端側に生じる媒体の張力と、他端側に生じる媒体の張力とに差が生じた場合に、当該差に応じて巻芯の軸方向を傾ける媒体保持部を備える。
【０００８】
媒体の張力とは、例えば、媒体の搬送により媒体に生じる張力である。媒体保持部は、例えば、媒体の搬送経路における巻き取り側に設けられ、巻芯の回転により媒体を巻き取るように、巻芯を保持する。媒体保持部は、例えば繰り出し側に設けられてもよい。この場合、媒体保持部は、例えば、媒体の搬送に応じて巻芯が回転することにより媒体が繰り出されるように、巻芯を保持する。媒体保持部は、巻き取り側と繰り出し側の両方に設けられてもよい。
【０００９】
また、媒体保持部は、例えば、巻芯の軸方向の一端側と他端側との間の張力の差を打ち消す方向へ、巻芯の軸方向を傾ける。この場合、媒体保持部は、例えば、媒体の搬送方向と巻芯の軸方向とがなす角度を変化させることにより、巻芯の軸方向を傾ける。媒体保持部は、張力の差が一定値を超えた場合に、巻芯の軸方向を傾けてもよい。
【００１０】
このように構成した場合、媒体保持部は、軸方向を向ける角度に自由度を待たせた状態で、ロール状媒体の巻芯を保持する。これにより、媒体ロールの軸心である巻芯の位置は、完全固定ではなく、可動となる。そのため、このように構成すれば、例えばスキューが発生しかけた場合にも、巻芯の軸方向を追従させ、スキューを適切に解消できる。また、例えばスキューにより一時的に媒体が傾いたとしても、巻芯の軸方向を傾けることにより、媒体の繰り出しや巻き取りを適切な角度で行うことが可能になる。
【００１１】
更には、巻芯の軸方向を傾けることにより、巻芯の一端側と他端側とにおける媒体の張力の差である媒体の左右の張力の差を、適切に吸収できる。また、これにより、媒体の浮きを適切に防ぐことができる。従って、このように構成すれば、例えば、媒体ロールを用いる印刷装置において、媒体のスキューや浮き等を解消し、媒体搬送時の不具合を適切に改善できる。また、これにより、媒体にシワが発生すること等も適切に防止できる。
【００１２】
（構成２）媒体は、予め設定された搬送方向へ搬送され、媒体保持部は、巻芯を保持する巻芯保持部と、搬送方向及び巻芯の軸方向と垂直な軸を中心とする円弧上を巻芯が移動可能となるよう巻芯保持部を支持する巻芯移動中心軸部と、巻芯の軸方向が搬送方向と直交する向きへ巻芯保持部を付勢する付勢部材とを有する。円弧上を巻芯が移動可能とは、例えば、巻芯の軸方向における中心部分の軌跡が円弧状となるように移動可能なことである。
【００１３】
このように構成した場合、巻芯保持部に巻芯が保持されたロール状媒体は、例えば、媒体の左右の張力の差に連動して、円弧状に揺動する。そのため、このように構成すれば、例えば、この揺動運動により、媒体の左右の張力の差を適切に吸収できる。また、これにより、例えば、媒体のスキューや浮き等を適切に解消できる。
【００１４】
（構成３）媒体保持部は、付勢部材が巻芯保持部を付勢する付勢力を調整する付勢力調整部を更に有する。このように構成すれば、例えば、使用する媒体の種類に応じて、巻芯の揺動の重さを適切に設定できる。また、これにより、例えば、媒体のスキューや浮き等をより適切に解消できる。
【００１５】
尚、巻芯の揺動の重さとは、例えば、巻芯の軸方向を傾けるために必要な力の大きさである。例えば伸縮性の高い媒体を使用する場合、付勢力の調整により、巻芯の揺動の重さを、予め設定された標準値よりも軽めに設定することが好ましい。また、例えば静電気を発生する媒体を使用する場合、付勢力の調整により、巻芯の揺動の重さを、標準値よりも重めに設定することが好ましい。
【００１６】
（構成４）媒体保持部は、巻芯移動中心軸部の軸及び搬送方向と垂直な軸により、搬送される媒体の上下方向へ移動可能に巻芯保持部を支持する上下方向移動中心軸部を更に有する。
【００１７】
このように構成した場合、巻芯保持部に巻芯が保持されたロール状媒体は、左右の張力の差及び上下方向の張力の差に連動して、球面状に揺動する。そのため、このように構成すれば、更に、上下方向の張力の差を適切に吸収できる。また、これにより、例えば、媒体のスキューや浮き等をより適切に解消できる。
【００１８】
（構成５）巻芯に媒体がロール状に巻かれたロール状媒体を用いる印刷装置においてロール状媒体の巻芯を保持する媒体保持部材であって、巻芯の軸方向の一端側に生じる媒体の張力と、他端側に生じる媒体の張力とに差が生じた場合に、当該差に応じて巻芯の軸方向を傾ける。このように構成すれば、例えば、構成１と同様の効果を得ることができる。
【発明の効果】
【００１９】
本発明によれば、例えば、媒体ロールを用いる印刷装置において、媒体のスキューや浮き等を解消し、媒体搬送時の不具合を適切に改善できる。
【図面の簡単な説明】
【００２０】
【図１】本発明の一実施形態に係る印刷装置１０の一例を示す図である。図１（ａ）は、印刷装置１０の構成の一例を示す。図１（ｂ）は、媒体保持部２０の詳細な構成の第１の例を示す。
【図２】媒体保持部２０（図１参照）の機能について説明する図である。図２（ａ）は、搬送方向から傾いた方向へ媒体が搬送された場合において、巻芯５４が基準位置にある状態の様子の一例を示す。図２（ｂ）は、巻芯５４を傾けた状態の一例を示す。
【図３】媒体保持部２０の詳細な構成の第２の例を示す図である。
【発明を実施するための形態】
【００２１】
以下、本発明に係る実施形態を、図面を参照しながら説明する。図１は、本発明の一実施形態に係る印刷装置１０の一例を示す。図１（ａ）は、印刷装置１０の構成の一例を示す。印刷装置１０は、巻芯５４に媒体（メディア）５０がロール状に巻かれたロール状媒体５２を用いるインクジェットプリンタであり、媒体保持部２０、プラテン１２、インクジェットヘッド１４、媒体搬送ローラ１６、及び従動ローラ１８を備える。
【００２２】
媒体保持部２０は、ロール状媒体５２の巻芯５４を保持する部材である。本例において、媒体保持部２０は、媒体５０の搬送経路における上流側である繰り出し側、及び下流側である巻き取り側のそれぞれに設けられ、それぞれの位置において、巻芯５４を保持する。
【００２３】
繰り出し側の媒体保持部２０は、例えば、媒体５０の搬送に応じて巻芯５４が回転することにより媒体５０が順次繰り出されるように、巻芯５４を保持する。巻き取り側の媒体保持部２０は、例えば、巻芯５４の回転により媒体５０を順次巻き取るように、巻芯５４を保持する。また、本例において、巻芯５４は、例えば、中空の筒状体である。巻芯５４は、公知の紙管であってよい。
【００２４】
プラテン１２は、印刷される媒体５０を支持する台である。インクジェットヘッド１４は、媒体５０を挟んでプラテン１２と対向する位置に設けられ、媒体５０へインク滴を吐出する。これにより、インクジェットヘッド１４は、繰り出し側のロール状媒体５２から繰り出される媒体５０に印刷を行う。
【００２５】
媒体搬送ローラ１６は、媒体５０の搬送用のローラであり、従動ローラ１８との間に媒体５０を挟んで回転することにより、所定の搬送方向へ媒体５０を搬送する。従動ローラ１８は、媒体搬送ローラ１６に従って回転するローラである。
【００２６】
以上の構成により、印刷装置１０は、繰り出し側のロール状媒体５２から順次繰り出される媒体５０に対し、印刷を行う。また、印刷後の媒体５０を、巻き取り側のロール状媒体５２に順次巻き取る。本例によれば、ロール状媒体５２を用いた印刷を適切に行うことができる。続いて、媒体保持部２０の構成について更に詳しく説明する。
【００２７】
図１（ｂ）は、媒体保持部２０の詳細な構成の第１の例を示す。本例において、媒体保持部２０は、巻芯５４を１軸可動に保持する部材であり、巻芯保持部１０２、巻芯移動中心軸部１０４、及び複数の基準位置設定部材１０６を有する。尚、巻き取り側又は繰り出し側等の設置される位置に応じて、媒体保持部２０は、媒体５０の巻き取り又は繰り出しに必要な各種構成等を更に有してよい。
【００２８】
巻芯保持部１０２は、ロール状媒体５２の巻芯５４を保持する部材であり、媒体５０の搬送に合わせてロール状媒体５２が回転するように、巻芯５４を保持する。巻芯保持部１０２は、例えば巻芯５４の中空部に挿入されるローラを有してよい。このローラは、例えば、モータの動力に応じて回転することにより、巻芯５４を回転させる。
【００２９】
巻芯移動中心軸部１０４は、媒体５０の搬送方向、及び巻芯５４の軸方向と垂直な軸を含む部分であり、この軸を中心とする回動自在に巻芯保持部１０２を支持する。これにより、巻芯移動中心軸部１０４は、この軸を中心とする平面円弧上を巻芯５４が移動可能となるように、巻芯保持部１０２を支持する。
【００３０】
複数の基準位置設定部材１０６は、上記の円弧上における巻芯５４の基準位置を設定する部材であり、それぞれの位置において、巻芯５４を基準位置に合わせる方向へ、巻芯保持部１０２に力を加える。巻芯５４の基準位置とは、例えば、理想的な状態で媒体５０が搬送されている場合に巻芯５４があるべき位置であり、例えば、巻芯５４の軸方向が媒体５０の搬送方向と直交する位置である。理想的な状態で媒体５０が搬送されているとは、例えば、巻芯５４の一端側における媒体５０の張力と、他端側における媒体５０の張力とが等しく、媒体５０のスキューや浮きが発生していない状態である。
【００３１】
また、本例において、それぞれの基準位置設定部材１０６は、バネ式のネジであり、バネ部２０２及びネジ部２０４をそれぞれ有する。バネ部２０２は、付勢部材の一例であり、巻芯５４の軸方向が媒体５０の搬送方向と直交する向きへ、巻芯保持部１０２を付勢する。また、ネジ部２０４は、付勢力調整部の一例であり、例えば、バネ部２０２の端部の位置を変化させることにより、バネ部２０２が巻芯保持部１０２を付勢する付勢力を調整する。
【００３２】
以上のように構成した場合、例えば、媒体５０の左右である巻芯５４の軸方向の一端側と他端側との間で、搬送により媒体５０に生じる張力に差が生じると、媒体保持部２０に巻芯５４が保持されたロール状媒体５２は、この張力の差に連動して、円弧状に揺動する。また、これにより、例えば、生じた張力に応じて、巻芯５４の軸方向を傾けることができる。そのため、本例によれば、例えば、生じた張力の差を、適切に吸収できる。また、これにより、例えば、媒体の浮きを適切に防ぐことができる。
【００３３】
また、本例によれば、例えばスキューが発生しかけた場合にも、巻芯５４の軸方向を追従させ、スキューを適切に解消できる。また、例えばスキューにより一時的に媒体５０が傾いたとしても、巻芯５４の軸方向を傾けることにより、媒体５０の繰り出しや巻き取りを適切な角度で行うことが可能になる。従って、本例によれば、例えば、ロール状媒体５２を用いる印刷装置１０において、媒体５０のスキューや浮き等を解消し、媒体搬送時の不具合を適切に改善できる。また、これにより、媒体５０にシワが発生すること等も適切に防止できる。
【００３４】
更には、本例においては、巻芯保持部１０２を付勢する力を調整可能な基準位置設定部材１０６を用いている。そのため、例えば、使用する媒体５０の種類に応じて、巻芯５４の揺動の重さを適切に設定できる。また、これにより、例えば、媒体５０のスキューや浮き等をより適切に解消できる。
【００３５】
図２は、媒体保持部２０（図１参照）の機能について説明する図であり、巻芯移動中心軸部１０４（図１参照）を中心とする巻芯保持部１０２（図１参照）の回動により巻芯５４が移動する様子の一例を示す。図２（ａ）は、搬送方向から傾いた方向へ媒体が搬送された場合において、巻芯５４が基準位置にある状態の様子の一例を示す。この搬送方向とは、例えば、媒体５０の繰り出し側から巻き取り側に向かう方向である。図２（ｂ）は、巻芯５４を傾けた状態の一例を示す。尚、本図においては、巻芯５４に対する媒体５０の傾きの影響をわかりやすくするため、本来は一端側が巻芯５４に巻かれている媒体５０を、巻芯５４に巻かれていない状態で図示した。
【００３６】
基準位置にある巻芯５４の軸方向は、媒体５０の搬送方向と直交する。そのため、媒体５０の向きが搬送方向に対して傾いた場合、図２（ａ）中に破線で囲んでそれぞれ示した巻芯５４の左右の間で、搬送により媒体５０に生じる張力に差が生じる。
【００３７】
これに対し、本例において、媒体保持部２０は、巻芯５４を、完全固定ではなく、可動な状態で保持している。そして、張力の差が生じた場合、媒体保持部２０は、搬送方向と巻芯５４の軸方向とがなす角度を生じた張力の差に応じて変化させることにより、差を打ち消す方向へ、巻芯５４の軸方向を傾ける。これにより、例えば、図１に関連して説明したように、生じた張力の差を、適切に吸収できる。また、媒体５０のスキューや浮き等を解消し、媒体搬送時の不具合を適切に改善できる。
【００３８】
図３は、媒体保持部２０の詳細な構成の第２の例を示す。尚、以下に説明する点を除き、本例の媒体保持部２０は、図１（ｂ）を用いて説明した媒体保持部２０と同一又は同様である。
【００３９】
本例において、媒体保持部２０は、巻芯５４を２軸可動に保持する部材であり、図１（ｂ）を用いて説明した媒体保持部２０の構成に加え、上下方向移動中心軸部１０８を更に有する。上下方向移動中心軸部１０８は、巻芯移動中心軸部１０４の軸及び搬送方向と垂直な軸を含む部分であり、搬送される媒体５０の上下方向へ移動可能に巻芯保持部１０２を支持する。
【００４０】
本例において、巻芯保持部１０２に巻芯５４が保持されたロール状媒体５２は、左右の張力の差及び上下方向の張力の差に連動して、球面状に揺動する。そのため、本例によれば、左右方向の張力の差に加え、更に、上下方向の張力の差を適切に吸収できる。また、これにより、例えば、媒体５０のスキューや浮き等をより適切に解消できる。
【００４１】
尚、媒体保持部２０は、巻芯５４を３軸以上の軸により可動とする構成を有してもよい。この場合、媒体保持部２０は、例えば、巻芯移動中心軸部１０４及び上下方向移動中心軸部１０８に加え、更なる他の軸部を有する。このように構成すれば、例えば、媒体５０のスキューや浮き等を更に柔軟に解消できる。
【００４２】
以上、本発明を実施形態を用いて説明したが、本発明の技術的範囲は上記実施形態に記載の範囲には限定されない。上記実施形態に、多様な変更又は改良を加えることが可能であることが当業者に明らかである。その様な変更又は改良を加えた形態も本発明の技術的範囲に含まれ得ることが、特許請求の範囲の記載から明らかである。
【産業上の利用可能性】
【００４３】
本発明は、例えば印刷装置に好適に利用できる。
【符号の説明】
【００４４】
１０・・・印刷装置、１２・・・プラテン、１４・・・インクジェットヘッド、１６・・・媒体搬送ローラ、１８・・・従動ローラ、２０・・・媒体保持部、５０・・・媒体、５２・・・ロール状媒体、５４・・・巻芯、１０２・・・巻芯保持部、１０４・・・巻芯移動中心軸部、１０６・・・基準位置設定部材、１０８・・・上下方向移動中心軸部、２０２・・・バネ部、２０４・・・ネジ部
【図１】
2010247916.tif 000003
【図２】
2010247916.tif 000004
【図３】
2010247916.tif 000005